(57)【特許請求の範囲】
【請求項１】
電気光学パネルと、
該電気光学パネルの下側に配置されたバックライト装置と、
該バックライト装置および前記電気光学パネルを下方から支持する第１フレームと、
前記電気光学パネルに対して上側で当該電気光学パネルおよび前記バックライト装置を前記第１フレームとの間に保持する第２フレームと、
を有する電気光学装置であって、
前記第１フレームは、第１金枠と、該第１金枠の少なくとも内側に形成された第１樹脂部分と、を備え、
前記第２フレームは、第２金枠と、該第２金枠の少なくとも内側に形成され、前記電気光学パネルの側方で当該電気光学パネルの側端部に対向する有色の第２樹脂部分と、を備え、
前記電気光学パネル、前記バックライト装置および前記第１樹脂部分に少なくとも延在する接着部材を有していることを特徴とする電気光学装置。
【請求項２】
前記第１樹脂部分は、前記電気光学パネルと重なるパネル受け部と、該パネル受け部より外側で当該パネル受け部よりも下方に凹む周辺部と、を備え、
前記接着部材は、前記パネル受け部から前記周辺部と重なる位置まで配置されて、前記パネル受け部と前記電気光学パネルとを接着した状態で前記周辺部と前記第２樹脂部分との間に介在していることを特徴とする請求項１に記載の電気光学装置。
【請求項３】
前記第１金枠は、第１側板部を備え、
前記第２金枠は、前記第２樹脂部分に対して隙間を介して当該第２樹脂部分に外側で対向する第２側板部を備え、
前記第１側板部は、前記第２樹脂部分と前記第２側板部との間の前記隙間に入り込んで前記第２側板部と係合していることを特徴とする請求項１または２に記載の電気光学装置。
【請求項４】
前記第２樹脂部分は、黒色であることを特徴とする請求項１乃至３の何れか一項に記載の電気光学装置。
【請求項５】
前記第２金枠は、前記電気光学パネルと重なる位置に開口部をもって当該電気光学パネル端部に重なる上板部を備え、
前記第２樹脂部分は、前記上板部の下面側に設けられていることを特徴とする請求項１乃至４の何れか一項に記載の電気光学装置。
【請求項６】
前記第２樹脂部分は、前記開口部の内縁を覆っていることを特徴とする請求項５に記載の電気光学装置。
【請求項７】
前記上板部には、前記開口部を塞ぐ透光性の板状部材が固定されていることを特徴とする請求項５に記載の電気光学装置。
【請求項８】
前記接着部材は、両面テープであることを特徴とする請求項１乃至７の何れか一項に記載の電気光学装置。
【請求項９】
前記接着部材は、液状の接着剤を硬化させてなることを特徴とする請求項１乃至７の何れか一項に記載の電気光学装置。
【請求項１０】
請求項１乃至９の何れか一項に記載の電気光学装置を備えていることを特徴とする電子機器。
【発明の詳細な説明】
【技術分野】
【０００１】
本発明は、電気光学パネルを下フレームと上フレームとの間に保持した電気光学装置、および当該電気光学装置を備えた電子機器に関するものである。
【背景技術】
【０００２】
携帯電話機や情報携帯端末（ＰＤＡ：Personal Digital Assistants）等の電子機器の表示部には、透過型あるいは半透過反射型の電気光学パネルを備えた液晶装置が広く用いられている。かかる電気光学装置においては、例えば、図１０に示すように、電気光学パネル１０およびバックライト装置２０を下方から支持する第１フレーム１Ｘと、電気光学パネル１０に対して上側に被さって電気光学パネル１０およびバックライト装置２０を第１フレーム１Ｘとの間に保持する第２フレーム２Ｘとを備えている。第１フレーム１Ｘは、第１金枠４０Ｘと、第１金枠４０Ｘの少なくとも内側に第１金枠４０Ｘと一体あるいは別体に形成された樹脂部分３０Ｘとを備えている。第２フレーム２Ｘは、第２金枠５０Ｘのみからなる。第２金枠５０Ｘは、電気光学パネル１０と重なる位置に開口部５３０をもって電気光学パネル１０の端部に重なる上板部５３を備えており、上板部５３の上面には、両面テープ９１等によりタッチパネル９０等の透光性の板状部材が固定されている。
【０００３】
かかる電気光学装置において、電気光学パネル１０を第１フレーム１Ｘに固定するにあたって、樹脂部分３０Ｘは、電気光学パネル１０の下側に位置するパネル受け部３６Ｘと、パネル受け部３６Ｘより外側で上方に突出する周辺部３７Ｘとを備えており、電気光学パネル１０に貼付された下偏光板１７とパネル受け部３６Ｘとを両面テープ等の接着部材８Ｘで接着する構造が提案されている。また、電気光学パネル１０に貼付された上偏光板１８および周辺部３７Ｘを両面テープ等の接着部材７Ｘで上板部５３と接着する構造が提案されている（特許文献１参照）。また、樹脂部分３０Ｘについては白色樹脂を用いて光学特性を改善することが提案されている（特許文献２参照）。
【先行技術文献】
【特許文献】
【０００４】
【特許文献１】特開２００６−１５４３６６号公報
【特許文献２】特開２００９−１０３９６６号公報
【発明の概要】
【発明が解決しようとする課題】
【０００５】
しかしながら、図１０に示す電気光学装置では、電気光学パネル１０の側方に樹脂部分３０Ｘが位置する構造であるため、例えば、以下に示すような問題点がある。例えば、樹脂部分３０Ｘの周辺部３７Ｘや上偏光板１８を第２金枠５０Ｘの上板部５３に接着した際、第２金枠５０Ｘの形状精度が低いため、周辺部３７Ｘや上偏光板１８と上板部５３との間に隙間が発生しやすい。このため、矢印ＸＡで示すように、第１金枠４０Ｘの第１側板部４１と第２金枠５０Ｘの第２側板部５１との間から埃等が侵入した際、埃が電気光学パネル１０とタッチパネル９０との間に侵入するという問題点がある。また、樹脂部分３０Ｘが白色樹脂からなるため、矢印ＸＢで示すように、周辺部３７Ｘに侵入した光が、上偏光板１８と上板部５３との間の隙間から電気光学パネル１０の上面側に漏れやすいという問題点がある。
【０００６】
そこで、樹脂部分３０Ｘから周辺部３７Ｘを省く一方、第２金枠５０Ｘの一部を電気光学パネル１０の側方に配置する構成が考えられるが、この場合、第２金枠５０Ｘの精度が低くて第２金枠５０Ｘと電気光学パネル１０の側端部とが当接し、電気光学パネル１０の端部が割れるという新たな問題が発生する。
【０００７】
以上の問題点に鑑みて、本発明の課題は、電気光学パネルを上下から支持する第１フレームおよび第２フレームのうち、上側の第２フレームの一部を電気光学パネルの側方に配置しても、電気光学パネルの側端部が第２フレームに当接して破損することを防止することができる電気光学装置、および該電気光学装置を備えた電子機器を提供することにある。
【課題を解決するための手段】
【０００８】
上記課題を解決するために、本発明は、電気光学パネルと、該電気光学パネルの下側に配置されたバックライト装置と、該バックライト装置および前記電気光学パネルを下方から支持する第１フレームと、前記電気光学パネルに対して上側で当該電気光学パネルおよび前記バックライト装置を前記第１フレームとの間に保持する第２フレームと、を有する電気光学装置であって、前記第１フレームは、第１金枠と、該第１金枠の少なくとも内側に形成された第１樹脂部分と、を備え、前記第２フレームは、第２金枠と、該第２金枠の少なくとも内側に形成され、前記電気光学パネルの側方で当該電気光学パネルの側端部に対向する有色の第２樹脂部分と、を備え、前記電気光学パネル、前記バックライト装置および前記第１樹脂部分に少なくとも延在する接着部材を有していることを特徴とする。
【０００９】
本発明における「有色の第２樹脂部分」の「有色」とは、第２樹脂部分が透明および白色以外の樹脂からなることを意味する。
【００１０】
本発明では、電気光学パネルおよびバックライト装置を上下から支持する第１フレームおよび第２フレームのうち、上側の第２フレームは、第２金枠と、第２金枠の少なくとも内側に形成された第２樹脂部分とを備え、第２樹脂部分は、電気光学パネルの側方で電気光学パネルの側端部に対向している。このため、第１フレームと第２フレームとの間に埃が入り込んでも、埃は、第２樹脂部分を回り込まない限り、電気光学パネルの上まで到達しない。また、バックライト装置から漏れた光が第２樹脂部分に入り込んでも、第２樹脂部分が有色であるため、減衰し、電気光学パネルの上まで到達しにくい。また、第２樹脂部分であれば、成形によって高い精度が得られるので、電気光学パネルの側端部に対向する位置に配置しても、電気光学パネルの側端部が第２樹脂部分に当接して破損することを防止することができる。また、接着部材によって、埃が第２樹脂部分を回りこんで電気光学パネルの上に到達しようとするのを確実に防止することができる。
【００１１】
本発明において、前記第１金枠は、第１側板部を備え、前記第２金枠は、前記第２樹脂部分に対して隙間を介して当該第２樹脂部分に外側で対向する第２側板部を備え、前記第１側板部は、前記第２樹脂部分と前記第２側板部との間の前記隙間に入り込んで前記第２側板部と係合していることが好ましい。このように構成すると、第２フレームに第２樹脂部分を設けても、第１側板部と第２側板部とを係合させて、第１フレームと第２フレームとを結合させることができる。
【００１２】
本発明において、前記第２金枠は、前記電気光学パネルと重なる位置に開口部をもって当該電気光学パネル端部に重なる上板部を備え、前記第２樹脂部分は、前記上板部の下面側に設けられている構成を採用することができる。
【００１３】
本発明において、前記第２樹脂部分は、黒色であることが好ましい。このように構成すると、バックライト装置から漏れた光が第２樹脂部分に入り込んでも、第２樹脂部分が黒色であるため、減衰し、電気光学パネルの上まで漏れるのを確実に防止することができる。
【００１４】
本発明において、前記第２樹脂部分は、前記開口部の内縁を覆っていることが好ましい。このように構成すると、第２金枠の上板部において、開口縁が光るのを確実に防止することができる。
【００１５】
本発明は、前記上板部には、前記開口部を塞ぐ透光性の板状部材が固定されている場合に適用すると効果的である。上板部の開口部を塞ぐ透光性の板状部材が設けられている場合、電気光学パネルに埃が侵入すると、いつまでも滞留して目立つが、本発明では、第２フレームの第２樹脂部分で埃が電気光学パネルの上まで到達するのを防止できる。
【００１６】
本発明において、前記第１樹脂部分と前記第２樹脂部分との間に、さらに、接着部材が介在していても良い。このように構成すると、埃が第２樹脂部分を回りこんで電気光学パネルの上に到達しようとするのを確実に防止することができる。
【００１７】
本発明において、前記接着部材としては、両面テープを用いることができる。
【００１８】
本発明において、前記接着部材は、液状の接着剤を硬化させてなる構成であってもよい。
【００１９】
本発明において、前記第１樹脂部分は、前記電気光学パネルと重なるパネル受け部と、該パネル受け部より外側で当該パネル受け部よりも下方に凹む周辺部と、を備え、前記接着部材は、前記パネル受け部から前記周辺部と重なる位置まで配置されて、前記パネル受け部と前記電気光学パネルとを接着した状態で前記周辺部と前記第２樹脂部分との間に介在していることが好ましい。このように構成すると、第１樹脂部分と電気光学パネルとを固定する接着部材を、埃の侵入防止用の接着部材として利用することができるので、新たな接着部材を追加する必要がない。
【００２０】
本発明を適用した電気光学装置は、例えば、携帯電話機や情報携帯端末等の電子機器において、表示部を構成するのに用いられる。
【図面の簡単な説明】
【００２１】
【図１】本発明の実施の形態１に係る電気光学装置（液晶装置）の斜視図である。
【図２】本発明の実施の形態１に係る電気光学装置の分解斜視図である。
【図３】本発明の実施の形態１に係る電気光学装置の別の位置の断面図である。
【図４】本発明の実施の形態１に係る電気光学装置においてフレキシブル配線基板が接続されている側の断面図である。
【図５】本発明の実施の形態１に係る電気光学装置において、第１フレームに第２フレームを結合させる様子を示す説明図である。
【図６】本発明の実施の形態２に係る電気光学装置の説明図である。
【図７】本発明の実施の形態３に係る電気光学装置の説明図である。
【図８】本発明の実施の形態４に係る電気光学装置の断面図である。
【図９】本発明を適用した電気光学装置を備えた電子機器の説明図である。
【図１０】本発明の参考例に係る電気光学装置の説明図である。
【発明を実施するための形態】
【００２２】
図面を参照して、本発明の実施の形態を説明する。なお、以下の説明で参照する図においては、各層や各部材を図面上で認識可能な程度の大きさとするため、各層や各部材毎に縮尺を異ならしめてある。また、以下の説明では、図１０を参照して説明した構成との対応が分りやすいように、対応する部材には同一の符号を付して説明する。
【００２３】
［実施の形態１］
（全体構成）
図１および図２は、本発明の実施の形態１に係る電気光学装置（液晶装置）の斜視図、および分解斜視図である。図３は、本発明の実施の形態１に係る電気光学装置の断面図であり、図３には、電気光学パネル１０の側端部のうち、フレキシブル配線基板が接続されていない側端部を通る位置で電気光学装置を切断したときの断面を示してある。図４は、本発明の実施の形態１に係る電気光学装置においてフレキシブル配線基板が接続されている側の断面図であり、図４（ａ）、（ｂ）には、発光素子を避けた位置での断面、および発光素子を通る位置での断面を示してある。
【００２４】
図１および図２において、本形態の電気光学装置１００は、タッチパネル付き電気光学装置であり、概ね、バックライト用のバックライト装置２０と、このバックライト装置２０の上面に重ねて配置された電気光学パネル１０と、タッチパネル９０とを備えており、電気光学パネル１０は、透過型あるいは半透過反射型の液晶パネルからなる。
【００２５】
図２、図３および図４に示すように、電気光学装置１００は、電気光学パネル１０およびバックライト装置２０を内側に保持して下側から支持する第１フレーム１と、電気光学パネル１０に対して上側に被さって電気光学パネル１０およびバックライト装置２０を第１フレーム１との間に保持する第２フレーム２とを備えており、第２フレーム２にタッチパネル９０が固定されている。
【００２６】
詳しくは後述するように、第１フレーム１は、箱形の第１金枠４０と、第１金枠４０の少なくとも内側に第１金枠４０と一体あるいは別体に形成された第１樹脂部分３０とを備えている。第２フレーム２は、蓋状の第２金枠５０と、第２金枠５０の少なくとも内側にインサート成形あるいはアウトサート成形により第２金枠５０と一体に形成された第２樹脂部分６０とを備えている。このため、第２金枠５０には、複数個所に貫通穴５９が形成されており、かかる貫通穴５９に第２樹脂部分６０が入り込んでいる。第２金枠５０は、電気光学パネル１０と重なる位置に開口部５３０をもって電気光学パネル１０の端部に重なる上板部５３を備えており、上板部５３の上面には、両面テープ９１等によりタッチパネル９０等の透光性の板状部材が固定されている。
【００２７】
電気光学パネル１０は、矩形の平面形状を有しており、画素電極１５等が形成された素子基板１１と、素子基板１１に対して所定の隙間を介して対向配置された対向基板１２と、この対向基板１２と素子基板１１とを貼り合せるシール材１４とを備えており、シール材１４で囲まれた領域内に液晶層１３が保持されている。素子基板１１および対向基板１２はガラス基板等の透光性基板からなる。本形態では、対向基板１２が表示光の出射側に配置され、素子基板１１はバックライト装置２０の側に配置されている。本形態において、電気光学装置１００は、いわゆるフリンジフィールドスイッチング（以下、ＦＦＳ（Fringe Field Switching）という）方式やインプレーンスイッチング（以下、ＩＰＳ(In Plane Switching)という）方式等が採用されていることから、素子基板１１には共通電極１６も形成されている。また、電気光学パネル１０は、ＴＮ（Twisted Nematic）方式、ＥＣＢ（Electrically Controlled Birefringence）方式、あるいはＶＡＮ（Vertical Aligned Nematic）方式の液晶パネルとして構成される場合があり、この場合、素子基板１１に画素電極が形成され、対向基板１２に共通電極が形成される。
【００２８】
素子基板１１において、対向基板１２の縁からの張り出し部分１１０の上面には駆動用ＩＣ１９が実装されているとともに、かかる張り出し部分１１０の端部にはフレキシブル配線基板２００が接続されている。電気光学パネル１０の上面には上偏光板１８が重ねて配置され、電気光学パネル１０の下面とバックライト装置２０との間には下偏光板１７等が配置されている。ここで、下偏光板１７および上偏光板１８は、電気光学パネル１０よりもサイズが小さく、電気光学パネル１０において、張り出し部分１１０が位置する側の側端部１０ｃを除く３つの側端部１０ｂは、下偏光板１７および上偏光板１８の周りから張り出している。
【００２９】
バックライト装置２０は、電気光学パネル１０の下面側に対して重ねて配置された矩形の導光板２１と、面実装タイプのＬＥＤからなる発光素子２９（光源／図４参照）とを備えている。電気光学パネル１０に接続されているフレキシブル配線基板２００は両面基板であり、発光素子２９はフレキシブル配線基板２００に実装されている。導光板２１は、４つの側端面のうち、電気光学パネル１０の側端部１０ｃが位置する側の側端面が入射端面２１０とされる。導光板２１では、入射端面２１０から入射した光が導光板２１内を進行しながら上面から光が出射されるようになっており、本形態において、導光板２１の下面には反射シート２７が重ねて配置されている。導光板２１の上面には散乱板２２、プリズムシート２３、２４等の光学シートが重ねて配置されている。
【００３０】
（第１フレーム１および第２フレーム２の構成）
図２、図３および図４に示すように、第１フレーム１において、第１金枠４０は、厚さが０．１５ｍｍ程度の薄い金属板、例えばＳＵＳ板等に対するプレス加工等により形成されてなる。第１金枠４０は、底板部４３と、底板部４３の外周縁から起立する４つの第１側板部４１とを備えており、上面が開口する矩形の箱状になっている。かかる第１金枠４０の内側に第１樹脂部分３０が保持されている。ここで、第１金枠４０には、フレキシブル配線基板２００を引き出すための切り欠き４８が形成されており、かかる切り欠き４８が形成されている部分では、第１側板部４１が途切れている。
【００３１】
第１樹脂部分３０は、矩形枠状であり、白色の樹脂からなる。第１樹脂部分３０は、導光板２１の側端面に対向する４つの側壁３１を備えており、側壁３１で囲まれた内側にバックライト装置２０が配置されている。第１フレーム１の第１樹脂部分３０には、発光素子２９と重なる位置に発光素子２９が入り込む切り欠き３９が形成されている。このため、電気光学パネル１０の下面側にフレキシブル配線基板２００を重ね、この状態で、電気光学パネル１０およびフレキシブル配線基板２００を第１フレーム１に重ねると、発光素子２９は、切り欠き３９に入り込んで導光板２１の入射端面２１０に対向する。なお、電気光学パネル１０とフレキシブル配線基板２００との間には、発光素子２９が実装されている領域と重なる位置に遮光性の両面テープ２４０を貼っておけば、電気光学パネル１０の下面側にフレキシブル配線基板２００を固定することができるとともに、発光素子２９から出射された光が駆動用ＩＣ１９に入射することを防止することができる。
【００３２】
第２フレーム２において、第２金枠５０も、第１金枠４０と同様、厚さが０．１５ｍｍ程度の薄い金属板、例えばＳＵＳ板等に対するプレス加工等により形成されてなる。第２金枠５０は、矩形の上板部５３と、上板部５３の外周縁から下方に折れ曲がった４つの第２側板部５１とを備えており、下面が開口する矩形の蓋状になっている。第２側板部５１は、電気光学パネル１０の側端部１０ｃを覆っており、上板部５３は、電気光学パネル１０の表示光出射面１０ａの端部を覆っている。ここで、第２金枠５０の上板部５３には、電気光学パネル１０から出射された光を出射する矩形の開口部５３０が形成されている。開口部５３０は、上偏光板１８よりもサイズが小さい。
【００３３】
図２および図３に示すように、第１金枠４０において、４つの第１側板部４１には、第１側板部４１に対する切り起こし加工によって斜め下向きのフック部４５が形成されており、第２金枠５０において、フック部４５に対応する位置には係合穴５５が形成されている。このため、図５を参照して後述するように、第１フレーム１の内側に、バックライト装置２０や電気光学パネル１０を重ねた状態で、第２フレーム２を第１フレーム１に向けて押圧すると、第２金枠５０の第２側板部５１は第１金枠４０の第１側板部４１に外側で重なる。この状態から、第２フレーム２をさらに第１フレーム１に向けて押圧すると、第１金枠４０のフック部４５は係合穴５５の内側に入り込んで自動的に係合し、第１フレーム１と第２フレーム２とは、第１側板部４１および第２側板部５１を介して結合された状態となる。また、第１金枠４０のフック部４５を強制的に変形させれば、第１フレーム１と第２フレーム２との結合を解除することができるので、第２金枠５０と第１金枠４０との結合を解除することができる。ここで、フック部４５および係合穴５５は、長辺では１辺当たり、３箇所に設けられており、短辺では１辺当たり、２箇所に設けられており、計１０箇所に設けられている。
【００３４】
第２フレーム２において、第２金枠５０には、インサート成形あるいはアウトサート成形により第２金枠５０と一体に形成された第２樹脂部分６０が設けられている。第２樹脂部分６０は、透明および白色を除く有色の樹脂からなり、本形態において、第２樹脂部分６０は、黒色の樹脂からなる。
【００３５】
ここで、第２樹脂部分６０は、第２金枠５０の少なくとも内側に形成されており、電気光学パネル１０の側端部１０ｂの側に位置する部分には、第２金枠５０の上板部５３の下面に沿う上側樹脂部分６１と、上板部５３の開口縁に沿って形成された見切り部分６６とを備えており、見切り部分６６と上側樹脂部分６１とは連続している。また、第２樹脂部分６０は、上側樹脂部分６１から下方に突出して電気光学パネル１０の側方で側端部１０ｂに対向する突状樹脂部分６５を備えており、かかる突状樹脂部分６５は、下偏光板１７よりも下方位置まで突出している。また、突状樹脂部分６５は、第２金枠５０の第２側板部５１から内側で離間した位置に設けられており、突状樹脂部分６５と第２側板部５１との間には隙間６７が空いている。
【００３６】
かかる第２フレーム２の構成に対応して、第１フレーム１において、第１樹脂部分３０は、内側部分において電気光学パネル１０に下側で重なるパネル受け部３６と、パネル受け部３６より外側でパネル受け部３６よりも下方に凹む周辺部３７とを備えている。このため、第１樹脂部分３０は、第２樹脂部分６０の突状樹脂部分６５と直接、接することがないようになっている。また、パネル受け部３６と周辺部３７との段部３５は、突状樹脂部分６５の内周面よりやや内側に位置する。
【００３７】
また、第１フレーム１において、第１金枠４０の第１側板部４１は、突状樹脂部分６５と第２側板部５１との間に形成された隙間６７に入り込んで第２側板部５１の内側で第２側板部５１と対向している。このため、第２フレーム２において、第２金枠５０の内側に第２樹脂部分６０が設けられていても、第１側板部４１のフック部４５と第２側板部５１の係合穴５５との係合が可能である。
【００３８】
図４に示すように、第２フレーム２において、電気光学パネル１０の側端部１０ｃが位置する側でも、第２金枠５０の内側には第２樹脂部分６０が形成されている。また、電気光学パネル１０の側端部１０ｃが位置する側でも、第２樹脂部分６０は、上側樹脂部分６１から下方に突出して電気光学パネル１０の側方で側端部１０ｃに対向する突状樹脂部分６５を備えている。但し、突状樹脂部分６５は、第２側板部５１に接した状態で第２側板部５１の下端縁よりさらに下方に突出している。また、第１フレーム１において、電気光学パネル１０の側端部１０ｃが位置する側では、第１金枠４０に切り欠き４８が形成されているため、第１樹脂部分３０が、第１金枠４０よりも外側に突出している。このため、本形態において、フレキシブル配線基板２００は、第１フレーム１の第１樹脂部分３０と第２フレーム２の第２樹脂部分６０との間に形成された隙間３３を通って引き出されており、フレキシブル配線基板２００の引き出し経路には、金属部分が存在しない。従って、第１金枠４０および第２金枠５０によってフレキシブル配線基板２００が傷つくことがない。また、本形態では、第１フレーム１の第１樹脂部分３０と第２フレーム２の第２樹脂部分６０とは、フレキシブル配線基板２００を両側から挟むように設けられており、埃等の異物が侵入しないようになっている。
【００３９】
（電気光学パネル１０の固定構造）
図５は、本発明の実施の形態１に係る電気光学装置１００において、第１フレーム１に第２フレーム２を結合させる様子を示す説明図である。
【００４０】
本形態の電気光学装置１００において、第１フレーム１および第２フレーム２によって電気光学パネル１０を保持するにあたっては、図３に示すように、まず、電気光学パネル１０に貼付された下偏光板１７と第１フレーム１の第１樹脂部分３０に形成されたパネル受け部３６との間には、両面テープ８からなる接着部材が配置されており、両面テープ８は、一方の面が下偏光板１７に接着し、他方の面はパネル受け部３６に接着されている。
【００４１】
ここで、両面テープ８は、パネル受け部３６の上面から周辺部３７の上面に重なる位置まで延在しており、パネル受け部３６と電気光学パネル１０とを接着した状態で周辺部３７と第２樹脂部分６０の突状樹脂部分６５との間に介在している。ここで、パネル受け部３６と周辺部３７との段部３５は、突状樹脂部分６５の内周面より、両面テープ８の厚さ分と同等の寸法だけ内側に位置し、かつ、突状樹脂部分６５の下端面と周辺部３７の上面との隙間寸法は、両面テープ８の厚さ分と同等である。このため、両面テープ８は、パネル受け部３６、段部３５および周辺部３７の形状に倣って変形し、第１樹脂部分３０と第２樹脂部分６０との間に挟まれている。ここで、両面テープ８は、段部３５、周辺部フ３７および第２樹脂部分６０の突状樹脂部分６５に接着している構成、接着せずに軽く接している構成、およびわずかに離間している構成のいずれであってもよい。但し、本形態では、両面テープ８は、変形した状態からの形状復帰力（反発力）で突状樹脂部分６５の下端面には確実に接している。
【００４２】
上記のように、両面テープ８にパネル受け部３６と電気光学パネル１０とを接着する部分８１と、第１樹脂部分３０と第２樹脂部分６０との間に介在する部分８２とを設けるには、例えば、図５に示すように、パネル受け部３６に両面テープ８の一方の端部を接着した後、電気光学パネル１０を搭載し、その後、第２フレーム２を第１フレーム１に向けて、フック部４５と係合穴５５とが係合するまで押し付けるだけで実現することができる。
【００４３】
その際、両面テープ８には、図２に示すように、発光素子２９と重なる位置に穴８９を設けておけば、発光素子２９を導光板２１の側端面に対向させることができる。また、第２樹脂部分６０の上側樹脂部分６１は上偏光板１８に当接し、上板部５３と上偏光板１８との隙間を塞ぐことになる。
【００４４】
（本形態の主な効果）
以上説明したように、本形態の電気光学装置１００では、電気光学パネル１０およびバックライト装置２０を上下から支持する第１フレーム１および第２フレーム２のうち、上側の第２フレーム２は、第２金枠５０と、第２金枠５０の少なくとも内側に第２金枠５０と一体に形成された第２樹脂部分６０とを備え、第２樹脂部分６０は、電気光学パネル１０の側方で電気光学パネル１０の側端部１０ｂに対向している。このため、第１フレーム１と第２フレーム２との間に埃が入り込んでも、埃は、第２樹脂部分６０を回り込まない限り、電気光学パネル１０の上まで到達しない。それ故、特に本形態のように、上板部５３の開口部５３０を塞ぐ透光性の板状部材（タッチパネル９０）が設けられている場合に適用すると効果的である。すなわち、上板部５３の開口部５３０を塞ぐ板状部材（タッチパネル９０）が設けられている場合、電気光学パネル１０の上面に埃が侵入すると、いつまでも滞留して目立つが、本形態では、かかる埃の侵入を第２フレーム２の第２樹脂部分６０で防止することができる。
【００４５】
また、本形態において、第１樹脂部分３０と第２樹脂部分６０との間には、接着部材としての両面テープ８が介在している。このため、埃が第２樹脂部分６０を回りこんで電気光学パネル１０の上に到達しようとするのを両面テープ８によって確実に防止することができる。しかも、両面テープ８は、第１樹脂部分３０と電気光学パネル１０とを接着固定する機能を担っているので、新たな接着部材を追加する必要がない。また、第１樹脂部分３０は、電気光学パネル１０と重なるパネル受け部３６と、パネル受け部３６より外側でパネル受け部３６よりも下方に凹む周辺部３７とを備えており、両面テープ８は、パネル受け部３６、段部３５および周辺部３７の形状に倣って変形しており、かかる変形状態の復帰力（反発力）で第２樹脂部分６０に接している。それ故、図５を参照して説明したように、第１フレーム１と第２フレーム２とを結合した際に、両面テープ３８を突状樹脂部分６５によって押圧して変形させるだけで、第１樹脂部分３０と第２樹脂部分６０との隙間を両面テープ８で塞ぐことができる。また、本形態では、第１フレーム１と第２フレーム２とを結合させるフック部４５および係合穴５５が計１０箇所に設けられているため、両面テープ８がパネル受け部３６、段部３５および周辺部３７の形状に倣って変形した状態等を確実に維持することができる。
【００４６】
また、第２樹脂部分６０は有色であり、しかも、本形態において、第２樹脂部分６０は黒色である。このため、バックライト装置２０の光が電気光学パネル１０の側方に漏れても、かかる光は第２樹脂部分６０で遮断されるので、電気光学パネル１０の上まで到達しない。また、第２樹脂部分６０は、上板部５３に設けた開口部５３０の内縁を見切り部分６６として覆っているため、開口部５３０の開口縁が光るのを確実に防止することができる。
【００４７】
さらに、第２樹脂部分６０であれば、第２金枠５０を加工した場合と違って、成形の際に形状や寸法に高い精度が得られる。従って、電気光学パネル１０の側端部１０ｂに対向する位置に第２樹脂部分６０を配置しても、電気光学パネル１０の側端部１０ｂが第２樹脂部分６０に当接して破損することを防止することができる。
【００４８】
さらにまた、第２フレーム２において、第２金枠５０の第２側板部５１と第２樹脂部分６０との間には隙間６７が空いているため、第１金枠４０の第１側板部４１は、隙間６７に入り込んで第２側板部５１と係合することができる。それ故、第２フレーム２において、第２金枠５０の内側に第２樹脂部分６０を設けても、第１側板部４１と第２側板部５１とを係合させて、第１フレーム１と第２フレーム２とを結合させることができる。
【００４９】
［実施の形態２］
図６は、本発明の実施の形態２に係る電気光学装置１００の説明図であり、図６には、電気光学パネル１０の側端部のうち、フレキシブル配線基板２００が接続されていない側端部を通る位置で電気光学装置１００を切断したときの断面を示してある。なお、本形態の基本的な構成は、実施の形態１と同様であるため、共通する部分には同一の符号を付して図示し、それらの説明を省略する。
【００５０】
実施の形態１では、第２樹脂部分６０の上側樹脂部分６１と上偏光板１８とを当接させて上板部５３と上偏光板１８との隙間を塞いだが、図６に示すように、本形態では、上板部５３の開口部５３０付近に第２樹脂部分６０が形成されていない。その代わりに、上板部５３と上偏光板１８との間には両面テープや接着剤等の接着部材７が設けられている。従って、上板部５３と上偏光板１８との隙間は接着部材７によって塞がれている。
【００５１】
その他の構成は、実施の形態１と同様であるため、説明を省略するが、本形態の電気光学装置１００でも、実施の形態１と同様、第２フレーム２の第２樹脂部分６０は、電気光学パネル１０の側方で電気光学パネル１０の側端部１０ｂに対向している。このため、第１フレーム１と第２フレーム２との間に埃が入り込んでも、埃は、第２樹脂部分６０を回り込まない限り、電気光学パネル１０の上まで到達しない等、実施の形態１と同様な効果を奏する。
【００５２】
［実施の形態３］
図７は、本発明の実施の形態３に係る電気光学装置１００の説明図であり、図７には、電気光学パネル１０の側端部のうち、フレキシブル配線基板２００が接続されていない側端部を通る位置で電気光学装置１００を切断したときの断面を示してある。なお、本形態の基本的な構成は、実施の形態１と同様であるため、共通する部分には同一の符号を付して図示し、それらの説明を省略する。
【００５３】
実施の形態１では、第２フレーム２において、電気光学パネル１０の側端部１０ｂに相当する個所の全てにおいて、第２金枠５０の第２側板部５１と第２樹脂部分６０との間には隙間６７を設けたが、図７に示すように、第１側板部４１と第２側板部５１とを係合させない個所では、第２金枠５０の第２側板部５１と第２樹脂部分６０との間には隙間を設けなくてもよい。
【００５４】
また、第１側板部４１と第２側板部５１とを係合させず、他の手段で第１フレーム１と第２フレーム２とを結合させる場合にも、図７に示すように、第１側板部４１と第２側板部５１とを係合させない個所では、第２金枠５０の第２側板部５１と第２樹脂部分６０との間には隙間を設けなくてもよい。
【００５５】
その他の構成は、実施の形態１と同様であるため、説明を省略するが、本形態の電気光学装置１００でも、実施の形態１と同様、第２フレーム２の第２樹脂部分６０は、電気光学パネル１０の側方で電気光学パネル１０の側端部１０ｂに対向している。このため、第１フレーム１と第２フレーム２との間に埃が入り込んでも、埃は、第２樹脂部分６０を回り込まない限り、電気光学パネル１０の上まで到達しない等、実施の形態１と同様な効果を奏する。
【００５６】
［実施の形態４］
図８は、本発明の実施の形態４に係る電気光学装置１００の説明図であり、図８には、電気光学パネル１０の側端部のうち、フレキシブル配線基板２００が接続されていない側端部を通る位置で電気光学装置１００を切断したときの断面を示してある。また、図８（ａ）、（ｂ）には、第１フレーム１に第２フレーム２を結合させる様子、および第１フレーム１に第２フレーム２を結合させた後の様子を示してある。なお、本形態の基本的な構成は、実施の形態１と同様であるため、共通する部分には同一の符号を付して図示し、それらの説明を省略する。
【００５７】
上記実施の形態１〜３では、電気光学パネル１０と第１樹脂部分３０とを接着する接着部材として、両面テープ８を用いたが、図８を参照して説明するように、電気光学パネル１０と第１樹脂部分３０とを接着する接着部材として、液状の接着剤８Ｌを硬化させたものを用いてもよい。
【００５８】
より具体的には、図８（ａ）に示すように、第１樹脂部材３０のパネル受け部３６および周辺部３７にわたって液状の接着剤８Ｌを塗布した後、電気光学パネル１０を搭載し、その後、第２フレーム２を第１フレーム１に向けて、フック部４５と係合穴５５とが係合するまで押し付け、しかる後に、接着剤８Ｌを硬化させてもよい。
【００５９】
このように構成した場合も、接着剤８Ｌは、パネル受け部３６の上面から周辺部３７の上面に重なる位置まで延在しており、パネル受け部３６と電気光学パネル１０とを接着した状態で周辺部３７と第２樹脂部分６０の突状樹脂部分６５との間に介在している。また、接着剤８Ｌは、パネル受け部３６、段部３５および周辺部３７の形状に倣って変形し、第１樹脂部分３０と第２樹脂部分６０との間に挟まれ、第１樹脂部分３０と第２樹脂部分６０とを接着する。
【００６０】
その他の構成は、実施の形態１と同様であるため、説明を省略するが、本形態の電気光学装置１００でも、実施の形態１と同様、第２フレーム２の第２樹脂部分６０は、電気光学パネル１０の側方で電気光学パネル１０の側端部１０ｂに対向している。このため、第１フレーム１と第２フレーム２との間に埃が入り込んでも、埃は、第２樹脂部分６０を回り込まない限り、電気光学パネル１０の上まで到達しない等、実施の形態１と同様な効果を奏する。
【００６１】
［その他の実施の形態］
上記実施の形態１では、図４を参照して説明したように、フレキシブル配線基板２００の引き出し部分では、第１フレーム１の第１樹脂部分３０と第２フレーム２の第２樹脂部分６０とがフレキシブル配線基板２００を両側から挟むように構成したが、第１樹脂部分３０と第２樹脂部分６０との間にフレキシブル配線基板２００の厚さ以上の隙間を設けてもよい。かかる構成の場合でも、フレキシブル配線基板２００が引き出されている側では、第１フレーム１の第１側板部４１と第２フレーム２の第２側板部５１との隙間から電気光学パネル１０の上までは長い距離が存在するため、第１側板部４１と第２側板部５１との隙間から侵入した埃が電気光学パネル１０の上まで到達するという事態は発生しにくい。但し、第１樹脂部分３０と第２樹脂部分６０と間にフレキシブル配線基板２００の厚さ以上の隙間を設けた場合、第１樹脂部分３０とフレキシブル配線基板２００との隙間や、第２樹脂部分６０とフレキシブル配線基板２００との隙間に接着剤等を充填して、第１側板部４１と第２側板部５１との隙間から侵入した埃が電気光学パネル１０の上まで到達するのを防止してもよい。かかる場合でも、接着剤を塗布する個所は１辺のみであるため、多大な手間がかかることはない。
【００６２】
また、上記実施の形態１〜４では、上板部５３に透光性の板状部材としてタッチパネル９０が固定されている例を説明したが、上板部５３に透光性の板状部材としてカバーが固定されている場合に本発明を適用してもよい。
【００６３】
［電子機器への搭載例］
次に、上述した実施形態に係る電気光学装置１００を適用した電子機器について説明する。図９（ａ）に、電気光学装置１００を備えた携帯電話機の構成を示す。携帯電話機３０００は、複数の操作ボタン３００１、スクロールボタン３００２、および表示ユニットとしての電気光学装置１００を備えている。スクロールボタン３００２を操作することによって、電気光学装置１００に表示される画面がスクロールされる。図９（ｂ）に、電気光学装置１００を適用した情報携帯端末の構成を示す。情報携帯端末４０００は、複数の操作ボタン４００１、電源スイッチ４００２、および表示ユニットとしての電気光学装置１００を備える。電源スイッチ４００２を操作すると、住所録やスケジュール帳といった各種の情報が電気光学装置１００に表示される。
【００６４】
なお、電気光学装置１００が適用される電子機器としては、図９に示すものの他、デジタルスチールカメラ、液晶テレビ、ビューファインダー型、モニター直視型のビデオテープレコーダー、カーナビゲーション装置、ページャー、電子手帳、電卓、ワードプロセッサー、ワークステーション、テレビ電話、ＰＯＳ端末、タッチパネルを備えた機器等が挙げられる。そして、これらの各種電子機器の表示部として、前述した電気光学装置１００が適用可能である。
【符号の説明】
【００６５】
１・・第１フレーム、２・・第２フレーム、８・・両面テープ（接着部材）、８Ｌ・・接着剤（接着部材）、１０・・電気光学パネル、２０・・バックライト装置、３０・・第１樹脂部分、３６・・パネル受け部、３７・・周辺部、４０・・第１金枠、４１・・第１側板部、５０・・第２金枠、５１・・第２側板部、５３・・上板部、６０・・第２樹脂部分、９０・・タッチパネル、１００・・電気光学装置・・
【図１】
0005520094.tif 000002
【図２】
0005520094.tif 000003
【図３】
0005520094.tif 000004
【図４】
0005520094.tif 000005
【図５】
0005520094.tif 000006
【図６】
0005520094.tif 000007
【図７】
0005520094.tif 000008
【図８】
0005520094.tif 000009
【図９】
0005520094.tif 000010
【図１０】
0005520094.tif 000011